【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
無線通信システムにおいて所定のフレーム構造を用いて信号を送受信する方法であって、前記方法は、
前記所定のフレーム構造に従うフレームを通じて信号を送受信することを含み、
前記フレームは、５個のサブフレームを含み、前記５個のサブフレームは、６個のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘ  Ａｃｃｅｓｓ）シンボルを含むタイプ−１のサブフレーム、及び７個のＯＦＤＭＡシンボルを含むタイプ−２のサブフレームを含み、前記フレームのＣＰ（Ｃｙｃｌｉｃ  Ｐｒｅｆｉｘ）長は、有効シンボル長の１／８に該当する、方法。
【請求項２】
前記フレームは、時間分割デュプレックス（ＴＤＤ：Ｔｉｍｅ  Ｄｉｖｉｓｉｏｎ  Ｄｕｐｌｅｘ）フレームまたは周波数分割デュプレックス（ＦＤＤ：Ｆｒｅｑｕｅｎｃｙ  Ｄｉｖｉｓｉｏｎ  Ｄｕｐｌｅｘ）フレームである、請求項１に記載の方法。
【請求項３】
前記フレームは、ＴＤＤフレームであり、前記ＴＤＤフレームは、２個のタイプ−１のサブフレームと、３個のタイプ−２のサブフレームとを含む、請求項２に記載の方法。
【請求項４】
前記ＴＤＤフレームは、ダウンリンク区間と、前記ダウンリンク区間に後続するアップリンク区間とを含み、前記ダウンリンク区間と前記アップリンク区間との間には、送信遷移間隔（ＴＴＧ：Ｔｒａｎｓｍｉｔ  Ｔｒａｎｓｉｔｉｏｎ  Ｇａｐ）区間が位置し、前記アップリンク区間の最後のサブフレームの後に受信遷移間隔（ＲＴＧ：Ｒｅｃｅｉｖｅ  Ｔｒａｎｓｉｔｉｏｎ  Ｇａｐ）区間が位置する、請求項３に記載の方法。
【請求項５】
前記ＴＤＤフレーム内で、ダウンリンクサブフレームの個数とアップリンクサブフレームの個数との比率は、３：２または２：３である、請求項３に記載の方法。
【請求項６】
前記ＴＴＧまたはＲＴＧ区間に割り当てられるシンボルは、前記ＴＤＤフレーム内の１番目のアップリンクサブフレームの１番目のシンボルに位置する、請求項３に記載の方法。
【請求項７】
前記ＴＴＤフレーム内の前記１番目のアップリンクサブフレームは、タイプ−１のサブフレームである、請求項６に記載の方法。
【請求項８】
前記フレームは、７ＭＨｚのチャネル帯域幅を有する、請求項２に記載の方法。
【請求項９】
前記ＴＤＤフレームは、３３個のＯＦＤＭＡシンボルを含み、前記ＦＤＤフレームは、３４個のＯＦＤＭＡシンボルを含む、請求項２に記載の方法。
【請求項１０】
無線通信システムにおいて所定のフレーム構造を用いて信号を送受信する装置であって、前記装置は、
前記所定のフレーム構造に従うフレームを通じて信号を送受信するＲＦ（Ｒａｄｉｏ  Ｆｒｅｑｕｅｎｃｙ）ユニットを含み、
前記フレームは、５個のサブフレームを含み、前記５個のサブフレームは、６個のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘ  Ａｃｃｅｓｓ）シンボルを含むタイプ−１のサブフレーム、及び７個のＯＦＤＭＡシンボルを含むタイプ−２のサブフレームを含み、前記フレームのＣＰ（Ｃｙｃｌｉｃ  Ｐｒｅｆｉｘ）長は、有効シンボル長の１／８に該当する、装置。
【請求項１１】
前記フレームは、時間分割デュプレックス（ＴＤＤ：Ｔｉｍｅ  Ｄｉｖｉｓｉｏｎ  Ｄｕｐｌｅｘ）フレームまたは周波数分割デュプレックス（ＦＤＤ：Ｆｒｅｑｕｅｎｃｙ  Ｄｉｖｉｓｉｏｎ  Ｄｕｐｌｅｘ）フレームである、請求項１０に記載の装置。
【請求項１２】
前記フレームは、ＴＤＤフレームであり、前記ＴＤＤフレームは、２個のタイプ−１のサブフレームと、３個のタイプ−２のサブフレームとを含む、請求項１１に記載の装置。
【請求項１３】
前記ＴＤＤフレームは、ダウンリンク区間と、前記ダウンリンク区間に後続するアップリンク区間とを含み、前記ダウンリンク区間と前記アップリンク区間との間には、送信遷移間隔（ＴＴＧ：Ｔｒａｎｓｍｉｔ  Ｔｒａｎｓｉｔｉｏｎ  Ｇａｐ）区間が位置し、前記アップリンク区間の最後のサブフレームの後に受信遷移間隔（ＲＴＧ：Ｒｅｃｅｉｖｅ  Ｔｒａｎｓｉｔｉｏｎ  Ｇａｐ）区間が位置する、請求項１２に記載の装置。
【請求項１４】
前記ＴＤＤフレーム内で、ダウンリンクサブフレームの個数とアップリンクサブフレームの個数との比率は、３：２または２：３である、請求項１２に記載の装置。
【請求項１５】
前記ＴＴＧまたはＲＴＧ区間に割り当てられるシンボルは、前記ＴＤＤフレーム内の１番目のアップリンクサブフレームの１番目のシンボルに位置する、請求項１２に記載の装置。
【手続補正２】
【補正対象書類名】明細書
【補正対象項目名】００２８
【補正方法】変更
【補正の内容】
【００２８】
そして、前記フレームのチャネル帯域幅は７ＭＨｚであり、前記ＴＤＤフレームは３３個、前記ＦＤＤフレームは３４個のＯＦＤＭＡシンボルを含むことができる。
本願明細書は、例えば、以下の項目も提供する。
（項目１）
無線通信システムにおいて所定のフレーム構造を用いて信号を送受信する方法であって、
前記所定のフレーム構造によるフレームを通じて信号を送受信する段階を含み、
前記フレームは５個のサブフレームを含み、前記５個のサブフレームは、６個のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）シンボルを含むタイプ−１のサブフレーム、及び７個のＯＦＤＭＡシンボルを含むタイプ−２のサブフレームで構成され、前記フレームのＣＰ（Ｃｙｃｌｉｃ  Ｐｒｅｆｉｘ）長は、有効シンボル長の１／８に該当することを特徴とする、信号の送受信方法。
（項目２）
前記フレームは、時間分割デュプレックス（ＴＤＤ：Ｔｉｍｅ  Ｄｉｖｉｓｉｏｎ  Ｄｕｐｌｅｘ）フレームまたは周波数分割デュプレックス（ＦＤＤ：Ｆｒｅｑｕｅｎｃｙ  Ｄｉｖｉｓｉｏｎ  Ｄｕｐｌｅｘ）フレームであることを特徴とする、項目１に記載の信号の送受信方法。
（項目３）
前記フレームはＴＤＤフレームに該当し、前記ＴＤＤフレームは、２個のタイプ−１のサブフレームと、３個のタイプ−２のサブフレームとを含むことを特徴とする、項目２に記載の信号の送受信方法。
（項目４）
前記ＴＤＤフレームで、ダウンリンク区間と、前記ダウンリンク区間に後続するアップリンク区間とを含み、前記ダウンリンク区間と前記アップリンク区間との間には、送信遷移間隔（ＴＴＧ：Ｔｒａｎｓｍｉｔ  Ｔｒａｎｓｉｔｉｏｎ  Ｇａｐ）区間が位置し、前記アップリンク区間の最後のサブフレームの後に受信遷移間隔（ＲＴＧ：  Ｒｅｃｅｉｖｅ  Ｔｒａｎｓｉｔｉｏｎ  Ｇａｐ）区間が位置することを特徴とする、項目３に記載の信号の送受信方法。
（項目５）
前記ＴＤＤフレーム内で、ダウンリンクサブフレームの個数及びアップリンクサブフレームの個数の比率は３：２または２：３であることを特徴とする、項目３に記載の信号の送受信方法。
（項目６）
ＴＴＧ（Ｔｒａｎｓｍｉｔ  Ｔｒａｎｓｉｔｉｏｎ  Ｇａｐ）またはＲＴＧ（Ｒｅｃｅｉｖｅ  Ｔｒａｎｓｉｔｉｏｎ  Ｇａｐ）区間のために割り当てられるシンボルは、前記アップリンクの１番目のサブフレームの１番目のシンボルに位置することを特徴とする、項目３に記載の信号の送受信方法。
（項目７）
前記ＴＴＤフレーム内のアップリンクの１番目のサブフレームは、タイプ−１のサブフレームであることを特徴とする、項目６に記載の信号の送受信方法。
（項目８）
前記フレームのチャネル帯域幅は７ＭＨｚであることを特徴とする、項目２に記載の信号の送受信方法。
（項目９）
前記ＴＤＤフレームは３３個、前記ＦＤＤフレームは３４個のＯＦＤＭＡシンボルを含むことを特徴とする、項目２に記載の信号の送受信方法。
（項目１０）
無線通信システムにおいて所定のフレーム構造を用いて信号を送受信するための装置であって、
前記所定のフレーム構造によるフレームを通じて信号を送受信するＲＦ（Ｒａｄｉｏ  Ｆｒｅｑｕｅｎｃｙ）ユニットを含み、
前記フレームは５個のサブフレームを含み、前記５個のサブフレームは、６個のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）シンボルを含むタイプ−１のサブフレーム、及び７個のＯＦＤＭＡシンボルを含むタイプ−２のサブフレームで構成され、前記フレームのＣＰ（Ｃｙｃｌｉｃ  Ｐｒｅｆｉｘ）長は、有効シンボル長の１／８に該当することを特徴とする、信号送受信装置。
（項目１１）
前記フレームは、時間分割デュプレックス（ＴＤＤ：Ｔｉｍｅ  Ｄｉｖｉｓｉｏｎ  Ｄｕｐｌｅｘ）フレームまたは周波数分割デュプレックス（ＦＤＤ：Ｆｒｅｑｕｅｎｃｙ  Ｄｉｖｉｓｉｏｎ  Ｄｕｐｌｅｘ）フレームであることを特徴とする、項目１０に記載の信号送受信装置。
（項目１２）
前記フレームはＴＤＤフレームに該当し、前記ＴＤＤフレームは、２個のタイプ−１のサブフレームと、３個のタイプ−２のサブフレームとを含むことを特徴とする、項目１１に記載の信号送受信装置。
（項目１３）
前記ＴＤＤフレームで、ダウンリンク区間と、前記ダウンリンク区間に後続するアップリンク区間とを含み、前記ダウンリンク区間と前記アップリンク区間との間には、送信遷移間隔（ＴＴＧ：Ｔｒａｎｓｍｉｔ  Ｔｒａｎｓｉｔｉｏｎ  Ｇａｐ）区間が位置し、前記アップリンク区間の最後のサブフレームの後に受信遷移間隔（ＲＴＧ：  Ｒｅｃｅｉｖｅ  Ｔｒａｎｓｉｔｉｏｎ  Ｇａｐ）区間が位置することを特徴とする、項目１２に記載の信号送受信装置。
（項目１４）
前記ＴＤＤフレーム内で、ダウンリンクサブフレームの個数及びアップリンクサブフレームの個数の比率は３：２または２：３であることを特徴とする、項目１２に記載の信号送受信装置。
（項目１５）
ＴＴＧ（Ｔｒａｎｓｍｉｔ  Ｔｒａｎｓｉｔｉｏｎ  Ｇａｐ）またはＲＴＧ（Ｒｅｃｅｉｖｅ  Ｔｒａｎｓｉｔｉｏｎ  Ｇａｐ）区間のために割り当てられるシンボルは、前記アップリンクの１番目のサブフレームの１番目のシンボルに位置することを特徴とする、項目１２に記載の信号送受信装置。
（項目１６）
前記ＴＴＤフレーム内のアップリンクの１番目のサブフレームは、タイプ−１のサブフレームであることを特徴とする、項目１５に記載の信号送受信装置。
（項目１７）
前記フレームのチャネル帯域幅は７ＭＨｚであることを特徴とする、項目１１に記載の信号送受信装置。
（項目１８）
前記ＴＤＤフレームは３３個、前記ＦＤＤフレームは３４個のＯＦＤＭＡシンボルを含むことを特徴とする、項目１１に記載の信号送受信装置。